(57)【特許請求の範囲】
【請求項１】
撮像部と、
ユーザによる操作を検出する検出部と、
前記撮像部により取得した画像データを保存する保存部と、
前記保存部に保存された画像データに基づく第１画像を表示する表示部と、
前記表示部に前記第１画像を表示している場合において、ユーザによる所定の操作を検出したときは、前記画像データに基づく第２画像を投射する投射部と、
を備えたことを特徴とする携帯型装置であって、
前記表示部は、前記第１画像を表示しているときに、前記投射部にて投射することを促す情報を合わせて表示する携帯型装置。
【請求項２】
前記第１画像は、前記画像データの一部である請求項１記載の携帯型装置。
【請求項３】
前記第２画像は、前記画像データと、前記画像データ以外の情報と、を含む請求項１または２記載の携帯型装置。
【発明の詳細な説明】
【技術分野】
【０００１】
本発明は、携帯型装置に関し、特に、複数の表示先に情報を表示することが可能な携帯型装置に関する。
【背景技術】
【０００２】
近年、携帯型装置の一種である携帯電話は、本来の電話機能だけでなくカメラ機能および電子メール機能等が加えられ多機能化している。そして、カメラで撮影された画像および電子メールに添付される各種のファイルの視聴性を向上するために、携帯電話の表示部の拡大が要求されている。しかしながら、その一方で携帯電話の小型化および軽量化が要求されている。
【０００３】
このような相反する要求に応えるために、たとえば、特許文献１には以下のような携帯型装置（携帯端末）が開示されている。すなわち、折り畳み式の携帯型装置において、表示部では、表示画面が倒立表示される。すなわち、表示画面を表示部の上部または下部に設けた鏡で反射させて見たときに正規の文字となるように表示が行なわれる。また、凹面鏡は、携帯型装置の筐体が開かれたときに表示部の斜め上方において表示部と斜めに向き合い、表示部に表示される画面を拡大反射させて使用者の目に導く。このような構成により、表示部に表示される画面が凹面鏡にて拡大反射されて使用者の目に導かれるので、特に老人の方や弱視の方にとって表示された文字の判読が容易になり、視聴性が向上する。
【先行技術文献】
【特許文献】
【０００４】
【特許文献１】特開２０００−５９８５３号公報
【発明の概要】
【発明が解決しようとする課題】
【０００５】
しかしながら、特許文献１記載の携帯型装置は、携帯型装置の表示部に表示される画面が凹面鏡によってそのまま拡大される構成であり、また、一般に携帯電話等の携帯型装置の表示部はパソコン等のディスプレイと比べて小型で解像度が低く、情報量が少ないことから、表示画面の情報量および一覧性は向上しないという問題点があった。
【０００６】
それゆえに、本発明の目的は、情報の表示先に応じて表示画面の内容を適切に決定することで、表示画面の情報量および一覧性を向上することが可能な携帯型装置を提供することである。
【課題を解決するための手段】
【０００７】
上記課題を解決するために、この発明のある局面に係わる携帯型装置は、１画面または複数画面を含む情報を保存する保存部と、保存された情報の１画面の一部を少なくとも含む表示画面を生成する表示制御部と、表示画面を表示する第１の表示部と、表示画面を第２の表示部へ送信する表示画面送信部とを備え、表示制御部は、少なくとも第１の表示部および第２の表示部のいずれで保存された情報を表示するかに基づいて表示画面の内容を決定する。
【０００８】
好ましくは、表示制御部は、第２の表示部が第１の表示部のｍ個分（ｍは２以上の自然数）の解像度を有し、かつ、保存された情報の１画面を表示するのに必要な解像度が第１の表示部の解像度以下であり、かつ、第２の表示部に保存された情報を表示する場合には、保存された情報の１画面以上かつｍ画面以下を含む表示画面を生成する。
【０００９】
好ましくは、表示制御部は、第２の表示部が第１の表示部より高い解像度を有し、かつ、保存された情報の１画面を表示するのに必要な解像度が第１の表示部の解像度以下であり、かつ、第２の表示部に保存された情報を表示する場合には、保存された情報の少なくとも１画面と、保存された情報以外の情報とを含む表示画面を生成する。
【００１０】
好ましくは、表示制御部は、第２の表示部が第１の表示部より高い解像度を有し、かつ、保存された情報の１画面を表示するのに必要な解像度が第１の表示部の解像度より大きく、かつ、第１の表示部に保存された情報を表示する場合には、保存された情報の１画面を縮小した画面または保存された情報の１画面の一部と、第２の表示部に保存された情報を表示することを促す情報とを含む表示画面を生成する。
【００１１】
好ましくは、表示制御部は、第２の表示部が第１の表示部より高い解像度を有し、かつ、保存された情報が文字を含み、かつ、第２の表示部に保存された情報を表示する場合には、保存された情報において指定されているフォントサイズよりも文字のフォントサイズを小さくして、保存された情報の１画面に含まれる文字数を超える数の文字を含む表示画面を生成する。
【発明の効果】
【００１２】
本発明によれば、情報の表示先に応じて表示画面の内容を適切に決定することで、表示画面の情報量および一覧性を向上することができる。
【図面の簡単な説明】
【００１３】
【図１】（ａ）は、本発明の実施の形態に係る携帯電話の有する情報を小画面で閲覧する状態を示す図である。（ｂ）は、本発明の実施の形態に係る携帯電話の有する情報を大画面で閲覧する状態を示す図である。
【図２】本発明の実施の形態に係る携帯電話の機能ブロック図である。
【図３】本発明の実施の形態に係る携帯電話の動作手順を定めたフローチャートである。
【図４】（ａ）は、携帯電話１００が保存情報を小画面表示部８に表示した状態を示す図である。（ｂ）は、携帯電話１００が保存情報を大画面表示部２００に表示した状態を示す図である。
【図５】携帯電話１００が保存情報の１画面および保存情報以外の情報を大画面表示部２００に表示した状態を示す図である。
【図６】携帯電話１００が、大画面表示部２００に保存情報を表示することを促す情報を小画面表示部８に表示した状態を示す図である。
【発明を実施するための形態】
【００１４】
以下、本発明の実施の形態について図面を用いて説明する。
【００１５】
図１（ａ）は、本発明の実施の形態に係る携帯電話の有する情報を小画面で閲覧する状態を示す図である。図１（ｂ）は、本発明の実施の形態に係る携帯電話の有する情報を大画面で閲覧する状態を示す図である。
【００１６】
同図を参照して、本発明の実施の形態に係る携帯電話１００は、上側筐体５１と、下側筐体５２と、小画面表示部８と、表示画面送信部９とを備える。
【００１７】
携帯電話１００は、上側筐体５１および下側筐体５２が連結され、かつ、小画面表示部８が内側になるように上側筐体５１および下側筐体５２を折り畳むことができる。
【００１８】
通常、ユーザは同図（ａ）に示すように、携帯電話１００の上側筐体５１を展開した状態で小画面表示部８を見て携帯電話の有する情報を閲覧する。
【００１９】
一方、ユーザは同図（ｂ）に示すように、上側筐体５１をさらに展開させて上側筐体５１が下側筐体５２を支持する状態とし、表示画面送信部９が大画面表示部２００であるスクリーンに表示画面を投影することにより、携帯電話の有する情報を閲覧することができる。ここで、大画面表示部２００は小画面表示部８よりも高い解像度を有している。
【００２０】
なお、表示画面送信部９は、表示画面を投影する構成に限らず、無線または有線で表示画面を送信する構成であってもよい。この場合、大画面表示部２００は、表示画面送信部９から受信した表示画面を表示する液晶ディスプレイ等となる。また、携帯電話１００が小画面表示部８および大画面表示部２００を備える構成としてもよい。
【００２１】
図２は、本発明の実施の形態に係る携帯電話の機能ブロック図である。
【００２２】
同図を参照して、携帯電話１００は、さらに、アンテナ１と、スイッチ２と、受信部３と、送信部４と、保存部５と、表示制御部６と、検出部７とを備える。
【００２３】
アンテナ１は、図示しない無線基地局から受信したＲＦ（Radio Frequency）帯の無線
信号をスイッチ２へ出力する。
【００２４】
スイッチ２は、アンテナ１から受けた無線信号を受信部３へ出力するか、あるいは送信部４から受けた送信信号をアンテナ１へ出力するかを図示しない制御信号に応じて切り替える。
【００２５】
受信部３は、スイッチ２から受けた無線信号から画像、文字および記号等を含む１画面または複数画面を含む情報を抽出して保存部５へ出力する。
【００２６】
保存部５は、受信部３から受けた情報を保存する。なお、保存部５は、スイッチ２から受けた無線信号から抽出した情報に限らず、携帯電話１００が備える図示しないカメラで撮影された画像を１画面または複数画面を含む情報として保存してもよい。
【００２７】
送信部４は、送信データを送信信号に変換し、スイッチ２へ出力する。
【００２８】
スイッチ２は、アンテナ１から受けた無線信号を受信部３へ出力するか、あるいは送信部４から受けた送信信号をアンテナ１へ出力するかを図示しない制御信号に応じて切り替える。
【００２９】
アンテナ１は、スイッチ２から受けた送信信号を無線信号として図示しない無線基地局へ送信する。
【００３０】
検出部７は、携帯電話１００が小画面表示部８および大画面表示部２００のいずれで保存部５に保存されている情報（以下、保存情報という）を表示するかを検出する。すなわち、検出部７は、携帯電話１００の形状が、上側筐体５１を展開した状態において上側筐体５１をさらに展開させて上側筐体５１が下側筐体５２を支持する形状であるか否かを検出する。そして、検出部７は、検出結果を表わす検出情報を表示制御部６へ出力する。
【００３１】
表示制御部６は、保存部５から保存情報を取得して、保存情報の少なくとも一部を含む表示画面を生成する。ここで、表示制御部６は、保存情報のデータ量、小画面表示部８および大画面表示部２００の解像度ならびに検出部７から受けた検出情報に基づいて、表示
画面の内容を決定する。そして、表示制御部６は、生成した表示画面を小画面表示部８または表示画面送信部９へ出力する。
【００３２】
小画面表示部８は、表示制御部６から受けた表示画面を表示する。
【００３３】
表示画面送信部９は、表示制御部６から受けた表示画面を大画面表示部２００へ送信する。
【００３４】
次に、本発明の実施の形態に係る携帯電話が表示画面を生成する際の動作について説明する。
【００３５】
図３は、本発明の実施の形態に係る携帯電話の動作手順を定めたフローチャートである。
【００３６】
表示制御部６は、保存情報が小画面表示部８で表示するのに適している場合、すなわち、保存情報の１画面を表示するのに必要な解像度が小画面表示部８の解像度以下の場合であって（Ｓ１でＹＥＳ）、かつ、携帯電話１００が大画面表示部２００に保存情報を表示する場合であって、（Ｓ２でＹＥＳ）、かつ、大画面表示部２００が小画面表示部８のｍ個分以上（ｍは２以上の自然数）の解像度を有している場合には（Ｓ３でＹＥＳ）、保存情報の１画面以上かつｍ画面以下を含む表示画面を生成する（Ｓ４）。また、この場合、表示制御部６は保存情報の１画面および保存情報以外の情報を含む表示画面を生成してもよい（Ｓ４）。さらに、大画面表示部２００の解像度に余裕があれば、表示制御部６は保存情報のｍ画面および保存情報以外の情報を含む表示画面を生成することができる（Ｓ４）。
【００３７】
なお、画像、文字および記号等を含む１画面または複数画面を含む情報は、受信部３において小画面表示部８で表示するのに適するように縮小表示処理等の変換処理を行なう構成とすることができる。あるいは、画像、文字および記号等を含む１画面または複数画面を含む情報は、無線基地局またはサーバ等においてあらかじめ小画面表示部８で表示するのに適するように縮小表示等の変換処理を行なってから、携帯電話１００へ送信される構成とすることができる。
【００３８】
表示制御部６は、保存情報の１画面を表示するのに必要な解像度が小画面表示部８の解像度以下の場合であって（Ｓ１でＹＥＳ）、かつ、携帯電話１００が大画面表示部２００に保存情報を表示する場合であって、（Ｓ２でＹＥＳ）、かつ、大画面表示部２００が小画面表示部８のｍ個分以上の解像度を有していない場合には（Ｓ３でＮＯ）、保存情報の１画面および保存情報以外の情報を含む表示画面を生成する（Ｓ５）。
【００３９】
また、表示制御部６は、保存情報の１画面を表示するのに必要な解像度が小画面表示部８の解像度以下の場合であって（Ｓ１でＹＥＳ）、かつ、携帯電話１００が小画面表示部８に保存情報を表示する場合には（Ｓ２でＮＯ）、保存情報の１画面を含む表示画面を生成する（Ｓ６）。
【００４０】
一方、表示制御部６は、保存情報が小画面表示部８で表示するのに適していない場合、すなわち、保存情報の１画面を表示するのに必要な解像度が小画面表示部８の解像度を超える場合であって（Ｓ１でＮＯ）、かつ、携帯電話１００が小画面表示部８に保存情報を表示する場合には（Ｓ７でＮＯ）、保存情報の１画面を縮小した画面または保存情報の１画面の一部と、大画面表示部２００に保存情報を表示することを促す情報とを含む表示画面を生成する（Ｓ８およびＳ９）。
【００４１】
また、表示制御部６は、保存情報の１画面を表示するのに必要な解像度が小画面表示部８の解像度を超える場合であって（Ｓ１でＮＯ）、かつ、携帯電話１００が大画面表示部２００に保存情報を表示する場合には（Ｓ７でＹＥＳ）、保存情報の１画面を含む表示画面を生成する（Ｓ１０）。
【００４２】
次に、本発明の実施の形態に係る携帯電話１００の表示画面の具体例について図面を用いて説明する。
【００４３】
図４（ａ）は、携帯電話１００が保存情報を小画面表示部８に表示した状態を示す図である。図４（ｂ）は、携帯電話１００が保存情報を大画面表示部２００に表示した状態を示す図である。以下、図４〜図６の説明においては、保存情報は各種のグラフを含む電子ファイルである。
【００４４】
携帯電話で表および図等を閲覧できるように、携帯電話へ送信するデータをＡＳＰ（Application Service Provider）等の有するサーバにおいて変換するサービスをユーザが利用している場合には、携帯電話へ送信される電子メールに添付等された表および図等のデータは、小画面表示部８で表示するのに適するように縮小表示等の変換処理がなされている。
【００４５】
そして、携帯電話１００が保存情報を小画面表示部８に表示する場合には、同図（ａ）に示すようにサーバで変換処理された図（グラフ）を表示する。
【００４６】
一方、大画面表示部２００が小画面表示部８の４個分以上の解像度を有している場合であって、携帯電話１００が大画面表示部２００に保存情報を表示するときには、表示制御部６は電子メールに添付された４つのグラフを含む表示画面を生成する。そして、生成された表示画面は表示画面送信部９を介して大画面表示部２００へ送信され、大画面表示部２００は同図（ｂ）に示すように４つのグラフを一度に表示する。
【００４７】
なお、電子メールに添付等された表および図に限らず、携帯電話１００が備える図示しないカメラ部で撮影された画像等についても同様に、表示制御部６は小画面表示部８および大画面表示部２００のいずれで表示するか等に基づいて表示画面の内容を決定することができる。
【００４８】
図５は、携帯電話１００が保存情報の１画面および保存情報以外の情報を大画面表示部２００に表示した状態を示す図である。
【００４９】
表示制御部６は、保存情報である電子ファイルの１画面を表示するのに必要な解像度が小画面表示部８の解像度以下の場合であって、かつ、携帯電話１００が大画面表示部２００に保存情報を表示する場合には、表示制御部６は、携帯電話１００の小画面表示部８に表示されるグラフの１画面ならびに時計表示および電池残量等の情報を含む表示画面を生成することができる。そして、生成された表示画面は表示画面送信部９を介して大画面表示部２００へ送信され、大画面表示部２００は同図に示す表示を行なう。
【００５０】
このような構成により、携帯電話１００の設定画面および電子メールの内容を表示した画面等、通常の携帯電話の動作をデモンストレーション用に大画面表示部２００で表示する場合、または、大画面表示部２００で小画面表示部８の表示を確認したい場合に対応することができる。
【００５１】
図６は、携帯電話１００が、大画面表示部２００に保存情報を表示することを促す情報を小画面表示部８に表示した状態を示す図である。
【００５２】
電子メールに添付された電子ファイルに含まれるグラフが小画面表示部８で表示するのに適していない場合であって、かつ、携帯電話１００に大画面表示部２００が接続されていない等、何らかの理由で携帯電話１００が小画面表示部８に保存情報を表示している場合には、表示制御部６は、グラフを縮小した画面と、大画面表示部２００に保存情報を表示することを促す情報とを含む表示画面を生成する。すなわち、小画面表示部８は同図に示すようにグラフを縮小した画面と、時計表示、電池残量表示および電波環境表示と、大画面表示部２００にグラフを表示することを促す情報である投影表示とを含む表示画面を生成する。
【００５３】
ところで、特許文献１記載の携帯型装置では、携帯電話の表示部に表示される内容が凹面鏡によってそのまま拡大される構成であるため、表示画面の情報量および一覧性は向上しないという問題点があった。
【００５４】
しかしながら、本発明の実施の形態に係る携帯電話では、表示制御部６は、保存情報のデータ量、小画面表示部８および大画面表示部２００の解像度ならびに携帯電話１００が保存情報を小画面表示部８および大画面表示部２００のいずれで表示するかに基づいて、保存情報の複数画面を含む表示画面を生成するか、または、保存情報の少なくとも１画面と保存情報以外の情報とを含む表示画面を生成するか、または、保存情報の１画面を含む表示画面を生成するか、または、保存情報の１画面を縮小した画面または保存情報の１画面の一部と、大画面表示部２００に保存情報を表示することを促す情報とを含む表示画面を生成する。
【００５５】
したがって、本発明の実施の形態に係る携帯電話は、情報の表示先に応じて表示画面の内容を適切に決定することで、表示画面の情報量および一覧性を向上することができる。
【００５６】
［変形例］
本発明は、上記実施の形態に限定されるものではなく、たとえば以下の変形例も含まれる。
【００５７】
（１）  表示画面の生成
本発明の実施の形態に係る携帯電話では、表示制御部６は、保存情報のデータ量、小画面表示部８および大画面表示部２００の解像度ならびに携帯電話１００が保存情報を小画面表示部８および大画面表示部２００のいずれで表示するかに基づいて表示画面の内容を決定する構成としたが、これに限定するものではない。
【００５８】
表示制御部６は、携帯電話１００が保存情報を小画面表示部８および大画面表示部２００のいずれで表示するかのみに基づいて表示画面の内容を決定する構成とすることができる。すなわち、表示制御部６は、携帯電話１００が大画面表示部２００に保存情報を表示する場合には、保存情報の複数画面を含む表示画面を生成するか、または、保存情報の少なくとも１画面と保存情報以外の情報とを含む表示画面を生成する。一方、表示制御部６は、携帯電話１００が小画面表示部８に保存情報を表示する場合には、保存情報の１画面を含む表示画面を生成するか、または、保存情報の１画面を縮小した画面または保存情報の１画面の一部と、大画面表示部２００に保存情報を表示することを促す情報とを含む表示画面を生成する構成とすることができる。このような構成でも、情報の表示先に応じて表示画面の内容を適切に決定することで、表示画面の情報量および一覧性を向上するという本発明の目的を達成することができる。
【００５９】
（２）  文字
本発明の実施の形態に係る携帯電話における表示制御部６は、前述の内容の表示画面を
生成する構成に限定されるものではなく、保存情報が文字を含む場合であって、携帯電話１００が大画面表示部２００に保存情報を表示するときには、表示制御部６が、保存情報において指定されているフォントサイズよりも文字のフォントサイズを小さくして保存情報の１画面に含まれる文字数を超える数の文字を含む表示画面を生成する構成とすることができる。すなわち、表示制御部６が、保存情報の１画面に含まれる文字に加えて保存情報の他の画面に含まれる文字を含む表示画面を生成する構成とすることができる。たとえば、小画面表示部８では２画面に分けて表示される文書ファイルを、大画面表示部２００では１画面にまとめて表示する。このような構成により、表示画面の情報量および一覧性を向上することができる。
【００６０】
（３）  解像度の検出
本発明の実施の形態では、前提条件として大画面表示部２００は常に存在し、小画面表示部８よりも高い解像度を有しているとしたが、これに限定するものではない。
【００６１】
検出部７が、保存情報を大画面表示部２００で表示することができるかどうかを判断する構成、すなわち、大画面表示部２００が本発明の実施の形態に係る携帯電話に有線または無線で接続されているかどうかをユーザの操作および大画面表示部２００から受信する信号等で判断する構成とすることができる。
【００６２】
また、検出部７が小画面表示部８の解像度を認識しており、かつ、検出部７が大画面表示部２００から受信する信号に基づいて大画面表示部２００の解像度を検出する。そして、検出部７は、大画面表示部２００は小画面表示部８よりも高い解像度を有しているかどうか、また、大画面表示部２００が小画面表示部８のｍ個分以上の解像度を有しているかどうかを判断する構成とすることができる。あるいは、検出部７が、ユーザの操作等に基づいて大画面表示部２００の有無および大画面表示部２００の解像度を検出する構成とすることができる。
【００６３】
（４）  携帯電話
本発明の実施の形態では、携帯電話の構成を示して説明を行なったが、これに限定するものではなく、ＰＤＡ（Personal Digital Assistants）およびデジタルカメラ等の他の
携帯型装置にも本発明を適用することができる。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６５】
１  アンテナ
２  スイッチ
３  受信部
４  送信部
５  保存部
６  表示制御部
７  検出部
８  小画面表示部
９  表示画面送信部
５１  上側筐体
５２  下側筐体
１００  携帯電話
【図１】
0005349526.tif 000002
【図２】
0005349526.tif 000003
【図３】
0005349526.tif 000004
【図４】
0005349526.tif 000005
【図５】
0005349526.tif 000006
【図６】
0005349526.tif 000007